(57)【要約】【課題】動力、設備に無駄のない空気浮上式コンベアの給排気装置を提供する。【解決手段】無端状のコンベアベルト１１のキャリア側とリターン側ベルト１１ａ、１１ｂをトラフ１２ａ、１２ｂで支承し、そのトラフ１２ａ、１２ｂの下部にベルト１１ａ、１１ｂを浮上させるための浮上用空気を供給する風箱１３ａ、１３ｂを設け、トラフ１２ａ、１２ｂ上にトップカバー１６ａ、１６ｂを設けて排気室２０ａ、２０ｂを形成した空気浮上式コンベアの給排気装置において、排気室２０ａ、２０ｂと風箱１３ａ、１３ｂを結んで空気循環ライン３３を接続し、その空気循環ライン３３に給排気ファン３４を接続したものである。【選択図】図１
2016023075.tif 000002
【特許請求の範囲】
【請求項１】
無端状のコンベアベルトのキャリア側とリターン側ベルトをトラフで支承し、そのトラフの下部にベルトを浮上させるための浮上用空気を供給する風箱を設け、トラフ上にトップカバーを設けて排気室を形成した空気浮上式コンベアの給排気装置において、前記排気室と風箱を結んで空気循環ラインを接続し、その空気循環ラインに給排気ファンを接続したことを特徴とする空気浮上式コンベアの給排気装置。
【請求項２】
前記給排気ファンの吸込側空気循環ラインに集塵器が接続される請求項１に記載の空気浮上式コンベアの給排気装置。
【請求項３】
キャリア側のトラフとリターン側のトラフの搬送物の搬入端側に位置して空気循環ラインの排気ダクトが接続されると共に、搬送物の搬入端側に位置して前記給排気ファンが設置される請求項１又は２に記載の空気浮上式コンベアの給排気装置。
【請求項４】
前記給排気ファンの給気側空気循環ラインは、風箱に沿って設けられた給気ダクトで構成され、他方前記風箱が搬送物の搬送方向に沿って仕切板にて複数に区画され、その区画された風箱毎に風量調整ダンパを介して前記給気ダクトに接続される請求項３記載の空気浮上式コンベアの給排気装置。
【請求項５】
空気浮上式コンベアが多段に連結され、その上流側の空気浮上式コンベアの搬出端のシュート部に排気ラインが接続され、その排気ラインが前記空気循環ラインの吸込側に接続される請求項１〜４のいずれかに記載の空気浮上式コンベアの給排気装置。
【発明の詳細な説明】
【技術分野】
【０００１】
本発明は、石炭等の搬送物を搬送する空気浮上式コンベアに係り、特にベルト浮上用の空気とその空気を排気するための空気浮上式コンベアの給排気装置に関するものである。
【背景技術】
【０００２】
図２に示すように、空気浮上式コンベア１０は、駆動ローラと従動ローラ（図示せず）に石炭などの搬送物Ｓを搬送するための無端状のコンベアベルト１１が掛け渡され、そのコンベアベルト１１のキャリア側ベルト１１ａとリターン側ベルト１１ｂの下方に、ベルト１１ａ、１１ｂをそれぞれ支承する断面円弧状のトラフ１２（１２ａ、１２ｂ）が設けられ、そのトラフ１２ａ、１２ｂの下部に風箱１３（１３ａ、１３ｂ）が設けられると共にトラフ１２ａ、１２ｂに、風箱１３ａ、１３ｂに供給された空気をキャリア側ベルト１１ａとリターン側ベルト１１ｂに吹き出す空気穴１４（１４ａ，１４ｂ）が適宜間隔で穿設されて構成される。
【０００３】
トラフ１２ａ、１２ｂの両側は、支持脚１５にて支持され、そのトラフ１２ａ、１２ｂの上部には、キャリア側ベルト１１ａとリターン側ベルト１１ｂを覆うトップカバー１６（１６ａ、１６ｂ）が設けられる。
【０００４】
図３に示すようにトラフ１２は、鋼板で断面円弧状に形成され、その下方に風箱１３が設けられ、送風ファンからの空気が図示の矢印で示したように空気穴１４からトラフ１２とコンベアベルト１１の間に供給され、その空気の圧力で搬送物Ｓを載せたコンベアベルト１１（リターン側ではコンベアベルト１１のみ）を浮上させるようになっている。
【０００５】
また、トラフ１２には、フランジ１７にて、トップカバー１６が接続されて密閉された排気室２０が形成され、その排気室２０にコンベアベルト１１を浮上させた空気を排出する排気ダクト１９が接続される。排気ダクト１９には、図示していないが集塵器（図示せず）を介して集塵ファンが接続される。
【０００６】
この空気浮上式コンベア１０においては、コンベアベルト１１を浮上するための浮上用空気が送風ファンで風箱１３に供給され、コンベアベルト１１を浮上させた後の空気は、トラフ１２上の排気室２０に流れ、排気室２０から排気ダクト１９を通り、搬出端側のシュートでの局部集塵分の空気と合わせて、集塵器を通して除塵された後、集塵ファンから大気に排気されるようになっている。
【先行技術文献】
【特許文献】
【０００７】
【特許文献１】特開平１０−３３８３２３号公報
【特許文献２】特開２００１−８８９２３号公報
【発明の概要】
【発明が解決しようとする課題】
【０００８】
しかしながら、送風ファンで供給した空気浮上用空気を、集塵ファンで、同量回収して排気しており、２台のファンが必要となるため、動力、設備に無駄がある。
【０００９】
そこで、本発明の目的は、上記課題を解決し、動力、設備に無駄がない空気浮上式コンベアの給排気装置を提供することにある。
【課題を解決するための手段】
【００１０】
上記目的を達成するために本発明は、無端状のコンベアベルトのキャリア側とリターン側ベルトをトラフで支承し、そのトラフの下部にベルトを浮上させるための浮上用空気を供給する風箱を設け、トラフ上にトップカバーを設けて排気室を形成した空気浮上式コンベアの給排気装置において、前記排気室と風箱を結んで空気循環ラインを接続し、その空気循環ラインに給排気ファンを接続したことを特徴とする空気浮上式コンベアの給排気装置である。
【発明の効果】
【００１１】
本発明は、空気循環ラインを設け、その空気循環ラインに給排気ファンを接続することで、給気と排気を共用化できるという優れた効果を発揮する。
【図面の簡単な説明】
【００１２】
【図１】本発明の一実施の形態を示す概略断面図である。
【図２】空気浮上式コンベアの概略斜視図である。
【図３】図２における空気浮上式コンベアの概略断面図である。
【発明を実施するための形態】
【００１３】
以下、本発明の好適な一実施の形態を添付図面に基づいて詳述する。
【００１４】
先ず、本発明の空気浮上式コンベアの基本構成は、図２、図３で説明した通りであり、機能が同じ部材には同一符号を付して説明する。
【００１５】
さて、図１は、空気浮上式コンベアの搬送方向での概略断面図を示したものである。
【００１６】
この図１は、空気浮上式コンベア１０が多段に連結して構成した例を示し、空気浮上式コンベア１０の搬入端２４に、上流側空気浮上式コンベア１０Ｕの搬出端２５Ｕのシュート部が接続された状態を示し、空気浮上式コンベア１０の搬出端２５のシュート部に、さらに下流の空気浮上式コンベア１０或いは貯留槽が接続された状態を示しているが、搬入端２４と搬出端２５を除いてコンベア構造は、図１、図２で説明した通りである。
【００１７】
この空気浮上式コンベア１０の搬入端２４には、コンベアベルト１１の従動プーリ３０が設けられ、搬出端２５には駆動プーリ３１が設けられる。
【００１８】
この従動プーリ３０と駆動プーリ３１間のキャリア側ベルト１１ａは、トラフ１２ａ上で保持され、そのトラフ１２ａにトップカバー１６ａが設けられてキャリア側排気室２０ａが形成され、また従動プーリ３０と駆動プーリ３１間のリターン側ベルト１１ｂは、トラフ１２ｂ上で保持され、そのトラフ１２ｂにトップカバー１６ｂが設けられてリターン側排気室２０ｂが形成される。
【００１９】
キャリア側トラフ１２ａとリターン側トラフ１２ｂには、それぞれ風箱１３ａ、１３ｂが設けられる。この風箱１３ａ、１３ｂは、搬送物の搬送方向に沿って仕切板２６ａ、２６ｂにて複数の独立した分割風箱１３ｓに区画される。
【００２０】
搬入端２４側のキャリア側排気室２０ａ及びリターン側排気室２０ｂと、風箱１３ａ、１３ｂとを結んで空気循環ライン３３が接続され、その空気循環ライン３３に給排気ファン３４が接続される。
【００２１】
空気循環ライン３３は、搬入端２４側のキャリア側排気室２０ａ及びリターン側排気室２０ｂに設けられた排気ダクト１９ａ、１９ｂが合流された吸込側空気循環ライン３３ｓと、給排気ファン３４の給気側に接続され、風箱１３ａ、１３ｂと接続する給気側空気循環ライン３３ｄとからなる。
【００２２】
吸込側空気循環ライン３３ｓには、流量調整弁３５と集塵器３６とが接続される。給気側空気循環ライン３３ｄは、風箱１３ａ、１３ｂに沿って設けられた給気ダクト３７と、給気ダクト３７と風箱１３ａ、１３ｂの各分割風箱１３ｓを結んだ枝管３８ａ、３８ｂと、その各枝管３８ａ、３８ｂに接続された風量調整ダンパ３９ａ、３９ｂとで構成される。給気ダクト３７には、給気ダクト３７からの給気を各枝管３８ａ、３８ｂに均一に流すために給気ダクト３７の開度を調節するためのレジューサ４０が、給気ダクト３７に沿って複数個設けられる。
【００２３】
給排気ファン３４の給気側には、給気ダクト３７に供給する給気量を調整する風量調整用主ダンパ４１が接続される。また、風量調整用主ダンパ４１の下流側には、余剰の空気を排出するサイレンサー４２が接続される。また給排気ファン３４の吸込側と吸込側空気循環ライン３３ｓとは伸縮継手４３で接続され、風量調整用主ダンパ４１の吐出側と給気ダクト３７とは伸縮継手４４で接続され、サイレンサー４２も伸縮継手４５で接続される。
【００２４】
空気浮上式コンベア１０の搬入端２４には、搬入端２４内の粉塵を含む空気を排出する排気ライン４６が接続される。この排気ライン４６は、流量調整弁４７を介して吸込側空気循環ライン３３ｓに接続される。また上流側空気浮上式コンベア１０Ｕの搬出端２５Ｕのシュート部には排気ライン４６ｕが接続され、その排気ライン４６ｕが空気浮上式コンベア１０の搬入端２４の排気ライン４６に接続される。また空気浮上式コンベア１０の搬出端２５には、排気ライン４８が接続される。
【００２５】
給排気ファン３４、サイレンサー４２は中継建屋５０内に収容される。
【００２６】
次に、本実施の形態の作用を説明する。
【００２７】
本実施の形態においては、空気浮上式コンベア１０の搬入端２４側のキャリア側排気室２０ａ及びリターン側排気室２０ｂと風箱１３ａ、１３ｂとが空気循環ライン３３で接続され、その空気循環ライン３３に給排気ファン３４が接続されることで、給気と排気のファンを共用化することが可能となる。
【００２８】
給排気ファン３４からの給気は、給気ダクト３７から、枝管３８ａ、３８ｂを介して、それぞれ風量調整ダンパ３９ａ、３９ｂで流量が調整されて、風箱１３ａ、１３ｂの各分割風箱１３ｓに供給され、その分割風箱１３ｓから、トラフ１２ａ、１２ｂに供給されて、キャリア側ベルト１１ａとリターン側ベルト１１ｂを浮上させる。
【００２９】
その後、浮上に供した給気は、トラフ１２ａ、１２ｂとベルト１１ａ、１１ｂ間の隙間からキャリア側排気室２０ａ、リターン側排気室２０ｂに流れ、その排気室２０ａ、２０ｂ内を搬送物の搬送方向と逆方向に流れて搬入端２４の排気ダクト１９ａ、１９ｂから吸込側空気循環ライン３３ｓに流れ、集塵器３６で粉塵が除去された後、再度、給排気ファン３４から給気ダクト３７を通して風箱１３ａ、１３ｂに循環される。
【００３０】
また、吸込側空気循環ライン３３ｓには、空気浮上式コンベア１０の搬入端２４からの空気が排気ライン４６から、また上流側空気浮上式コンベア１０Ｕの搬出端２５Ｕからの空気が排気ライン４６ｕから同時に流入するため、余剰分はサイレンサー４２から放出する。
【００３１】
空気浮上式コンベア１０は、その長さが１００ｍから数１００ｍもあり、キャリア側排気室２０ａ、リターン側排気室２０ｂの搬入端側に、排気ダクト１９ａ、１９ｂを設けることで、空気循環ライン３３の系路の配管長を短くできる。
【００３２】
また、空気浮上式コンベア１０は、搬送物を地上側から貯留槽の上方に搬送するため、搬入端２４側が搬出端２５より低く形成されるため、主にキャリア側排気室２０ａを流れる空気は、排気室２０ａを斜め下方に流れ、その間に空気中の粉塵がベルト１１ａ上に落下するため、空気中の粉塵量も少なくすることができる。
【符号の説明】
【００３３】
１０  空気浮上式コンベア
１１  コンベアベルト
１１ａ  キャリア側ベルト
１１ｂ  リターン側ベルト
１２ａ、１２ｂ  トラフ
１３ａ、１３ｂ  風箱
１６ａ、１６ｂ  トップカバー
２０ａ、２０ｂ  排気室
３３  空気循環ライン
３４  給排気ファン
【図１】
2016023075.tif 000003
【図２】
2016023075.tif 000004
【図３】
2016023075.tif 000005